(57)【要約】【課題】従来の発電機は、発電ために外部エネルギーが常に必要であり、使用可能環境の限定、昼夜での限定、送電設備が必要であり、環境破壊、産業廃棄物処理、原子力発電では異常時の影響が非常に大きい。本発明は、一般家庭から工場、地域発電、砂漠、山、極点、宇宙、各種乗り物にまで使用でき、使用可能環境、時間帯を選ばずに使用でき、環境破壊が伴わずに発電を得ることにある。【解決手段】      真空中で磁石の反発力、引力によって磁気浮上させた回転子によって電磁誘導発電する外部エネルギー不要な真空磁気浮上発電機である。【選択図】  図４
2017073881.tif 000002
【特許請求の範囲】
【請求項１】
真空槽本体２９内を高真空にして空気抵抗が無く、永久磁石の反発力、引力を利用し、発電用平面型磁石回転子１８が磁気浮上できる状態で、モーター２２によって発電用平面型磁石回転子１８を高速回転させ、モーター２２から発電用平面型磁石回転子１８を切離すと、磁気浮上したまま発電用平面型磁石回転子１８が高速回転し、機械的に非接触のため機械的な摩擦抵抗が無く、また、真空中のため空気抵抗も無いために発電用平面型磁石回転子１８の回転が継続され、発電・回転維持用コイル１１により電磁誘導発電及び蓄電する装置。
【請求項２】
機械的に非接触である発電用平面型磁石回転子１８の回転が任意の回転
数以下に低下した場合、蓄電した電気を発電・回転維持用コイル１１に
通電することによって発電用平面型磁石回転子１８の回転数を上限回転
数まで上昇回復させ、任意の上限下限回転数の範囲内で自動的に回転を
維持できる請求項１記載の発電及び蓄電する装置。
【請求項３】
初期段階の電力は真空槽本体２９を真空ポンプＵＮＩＴ５で真空引きす
る電力と、発電用平面型磁石回転子１８を任意の上限回転数までモーター
２２で回転させるだけの蓄電された電力があれば、その後は蓄電された電
力で自動的に発電用平面型磁石回転子１８の回転維持、真空維持の行われ
るため、外部からのエネルギー供給が無くても発電及び蓄電できる請求項
１記載の発電及び蓄電する装置。
【請求項４】
真空槽内で磁気浮上させて非接触回転する発電用平面型磁石回転子１８
の回転中心点を維持するために本体上蓋中点磁石３８、発電用平面型磁石
回転子本体中点磁石３９の引き合う異極磁石と、回転中心維持磁石１７、
２０の引き合う異極磁石を中心部に有する請求項１記載の発電及び蓄電
する装置。
【請求項５】
機械的に非接触である発電用平面型磁石回転子１８であるため、発電する
真空槽内構成部品には消耗品、劣化部品が無くメンテナンス不要である請
求項１記載の発電及び蓄電する装置。
【請求項６】
真空を保つために真空漕内に入る構成部品は、構成部品自体からのガスの
発生防止のために、ガラス系、樹脂系にて構成部品表面をコーティング
、又は、浸漬、又は、塗り固められている請求項１記載の発電及び蓄電す
る装置。
【発明の詳細な説明】
【技術分野】
【０００１】
本発明は、初期起動電力以外は外部エネルギー不要で、本発明品単体で発電・蓄電ができ、また、排出物、廃棄物、大気汚染、騒音がほとんど無い、発電時に外部エネルギーが不要な真空磁気浮上発電機に関する。          
【背景技術】
【０００２】
従来の発電機は主に、原子力発電、火力発電、水力発電、風力発電、水素による発電、太陽光発電、エンジンによる発電機などがある。
【０００３】
原子力発電、火力発電、水力発電、風力発電、太陽光発電などは設備が大型で設備費用、維持費用が莫大であり、設置できる場所が限られ、送電設備、維持も必要であり莫大な費用がかかる欠点がある。
【０００４】
原子力発電は、核反応を起こす使用上危険な核燃料をエネルギー源として使用しなければならない欠点がある。莫大な設備費用、維持費用以外にも稼働時の安全性、異常時の安全性、核廃棄物処理時の安全性、大気汚染、水質汚染などの地球環境破壊、地域生活破壊、生態系破壊の事例があり、稼働上、異常時の危険性が高い欠点がある。
【０００５】
火力発電機は、莫大な設備、維持費用以外に発電するために石炭、コークスなどの燃料となる外部エネルギーを供給しなければ発電できない欠点がある。将来、石炭、コークスなどの枯渇により発電できなくなる。また、発電時の発熱による地球温暖化、大気汚染、廃棄物処理、石炭、コークス採掘、精製による地球環境破壊などの欠点がある。
【０００６】
水力発電、風力発電は設置できる場所が限られ、水力発電は、干ばつ時、雨量の少ない地域では発電できない欠点がある。水量によって発電量が変化するため安定的な電力供給ができない欠点がある。風力発電も無風状態では、安定した発電ができない欠点がある。水力発電、風力発電、共に外部の水力、風力エネルギーに頼っている発電方式である。また、水力発電はダムの建設などで川の生態系への影響、樹木伐採での自然環境破壊を行う欠点もある。風力発電は景観破壊の欠点もある。
【０００７】
水素による発電は、ガスなどを使用して水素を取り出し、酸素と反応させて電気を得るため、ガスなどの外部エネルギーを消費して発電している欠点がある。元になるガスなどを生成する過程で地球環境の破壊の欠点があり、ガスなどの枯渇、高騰によって、電力供給に影響が出る欠点も考えられる。
【０００８】
太陽光発電は夜、雨、雪、曇り、受光面の汚れ、によって十分な発電ができない欠点がある。また、設置面積が大きく、遊休土地への設置は、自然破壊、景観破壊の欠点がある。強風、突風時には太陽光発電設備が破壊された事例もある。    
【０００９】
エンジンによる発電機は、送電設備が無い場所、一次的な使用、非常時の使用以外では一般的には使用されていない。
【００１０】
発電するために燃料を燃焼させているため、燃料供給と燃焼による環境破壊と騒音の欠点がある。
【００１１】
従来のほとんどの発電機は、外部エネルギーを電気に変換している。そのため、外部エネルギーの状況によって発電量、発電単価が大きく変動する欠点がある。また、消耗品が多い発電方式、劣化による使用期限がある発電方式も欠点である。
【先行技術文献】
【非特許文献】
【００１２】
【非特許文献１】http://www.sky-denshi.co.jp/  株式会社  スカイ電子
【非特許文献２】http://sainetjapan.com/product/winpro/                                  WINPRO風力発電機の多極発電機
【非特許文献３】http://item.rakuten.co.jp/bicosya/56891/                                                                               ＵＦＯゴマ
【発明の概要】
【発明が解決しようとする課題】
【００１３】
本発明は、以上のような従来の欠点に鑑み、発電時は外部エネルギーを使用せず真空槽内での磁気浮上した回転子の高速回転による発電のため、外部エネルギーの影響を全く受けず、時間、場所を選ばず常に安定した発電ができる、発電時に外部エネルギーが不要な真空磁気浮上発電機。
【００１４】
発電時は外部エネルギーを全く使用しないため、天然ガス、石油、石炭、コークス、などの採掘、精製が不要となり、有害排気、廃棄物が無くなり、省エネ、地球環境保護につながる、発電時に外部エネルギーが不要な真空磁気浮上発電機。
【００１５】
核燃料などの危険な物質も使用しない安全な、発電時に外部エネルギーが不要な真空磁気浮上発電機。
【００１６】
従来の莫大な発電設備費用、送電設備費用が不要である、発電時に外部エネルギーが不要な真空磁気浮上発電機。
【００１７】
一般家庭、会社、学校、公共施設、ビルディング、乗り物などの設備単体に設置できるため、送電線、変電所、電柱などの送電設備は不要となり、省エネ、地球環境保護につながり、地域の景観も良好になる、発電時に外部エネルギーが不要な真空磁気浮上発電機。
【００１８】
機械的な接点が無い発電機のため、発電機本体には消耗品、劣化する部分が無い、発電時に外部エネルギーが不要な真空磁気浮上発電機。
【００１９】
従来の発電機の欠点を無くした上記の特徴がある、発電時に外部エネルギーが不要な真空磁気浮上発電機、を提供することを目的とする。
【課題を解決するための手段】
【００２０】
上記の発明が解決しようとする課題の目的を達成するために、本発明の  請求項１に記載の磁気浮上による電磁誘導発電、及び蓄電する装置では、真空槽本体２９内を高真空にして空気抵抗が無く、永久磁石の反発力、引力を利用し、発電用平面型磁石回転子１８が磁気浮上できる状態で、モーター２２によって発電用平面型磁石回転子１８を高速回転させ、モーター２２から発電用平面型磁石回転子１８を切離すと、回転のジャイロ効果によって磁気浮上したまま発電用平面型磁石回転子１８が高速回転を維持し、機械的に非接触のため機械的な摩擦抵抗が無く、また、真空中のため空気抵抗も無いために発電用平面型磁石回転子１８の回転が継続され、発電・回転維持用コイル１１により電磁誘導発電及びバッテリー３に蓄電する機構によって、発電時に外部エネルギーが不要な真空磁気浮上発電機が構成されている。
【００２１】
真空槽内であるため、空気抵抗が無い状態で、非特許文献３のＵＦＯゴマに示されるように、発電用平面型磁石回転子１８が、永久磁石による反発力、引力と、回転することによってのジャイロ効果によって機械的非接触な磁気浮上したまま、発電用平面型磁石回転子１８は回転を続ける。
【００２２】
非特許文献１、非特許文献２の風力発電で使用されている電磁誘導発電のコアレス発電機に示されるように、発電用平面型磁石回転子１８が回転することによって、発電用平面型磁石回転子１８に取付けられている回転子付属発電用磁石１５と発電・回転維持用コイル１１によって電磁誘導による発電が行われ、バッテリー３に蓄電される。
【００２３】
上記の発明が解決しようとする課題の目的を達成するために、本発明の  請求項２に記載の磁気浮上による電磁誘導発電、及び蓄電する装置では、機械的に非接触である発電用平面型磁石回転子１８の回転が任意の回転数以下に低下した場合、蓄電した電気を発電・回転維持用コイル１１に通電することによって発電用平面型磁石回転子１８の回転数を上限回転数まで上昇回復させ、任意の上限下限回転数の範囲内で自動的に回転を維持できるシステムによって請求項１記載の発電時に外部エネルギーが不要な真空磁気浮上発電機を構成する。
【００２４】
発電機とモーターは可逆であるため、発電用平面型磁石回転子１８の回転数が任意設定された回転数低下に低下した場合、バッテリー３に蓄電された電気を逆に発電・回転維持用コイル１１に送電することによって発電用平面型磁石回転子１８の回転を任意設定された上限回転数まで上昇させる。この繰り返しによって、回転を継続させる。上限回転数まで達した後は、発電・回転維持用コイル１１を発電に切替え、発電、蓄電を行う。
【００２５】
発電用平面型磁石回転子１８の任意回転数の一例として、上限回転数を  ５０００回転、下限回転数を２０００回転とした場合、５０００回転から２０００回転に回転が低下するまでの間の３０００回転で電磁誘導発電を行う。
【００２６】
上記の発明が解決しようとする課題の目的を達成するために、本発明の  請求項３に記載の磁気浮上による電磁誘導発電、及び蓄電する装置では、初期段階の電力は真空槽本体２９を真空ポンプＵＮＩＴ５で真空引きする電力と、発電用平面型磁石回転子１８を任意の上限回転数までモーター２２で回転させるだけの蓄電された電力があれば、その後は蓄電された電力で自動的に発電用平面型磁石回転子１８の回転維持、真空維持の行われるため、外部からのエネルギー供給が無くても発電及び蓄電できる請求項１記載の、発電時に外部エネルギーが不要な真空磁気浮上発電機を構成する。
【００２７】
本発明の装置稼働立上げ段階で、真空槽本体２９を任意の真空に達するまで、真空ポンプＵＮＩＴ５で真空引きを行い、発電用平面型磁石回転子１８を任意の上限回転数までモーター２２で回転させる。この立上げ段階での真空ポンプＵＮＩＴ５とモーター２２を稼働させるだけの電力、エネルギーがあれば、立ち上がり以降は、発電した電力を使い発電用平面型磁石回転子１８の回転維持、真空槽本体２９の真空を維持するため、装置の立ち上がり以降は外部エネルギーは不要となる。
【００２８】
上記の発明が解決しようとする課題の目的を達成するために、本発明の  請求項４に記載の磁気浮上による電磁誘導発電、及び蓄電する装置では、真空槽内で磁気浮上させて非接触回転する発電用平面型磁石回転子１８の回転中心点を維持するために本体上蓋中点磁石３８、発電用平面型磁石回転子本体中点磁石３９の引き合う磁石と、回転中心維持磁石１７、２０の引き合う磁石を中心部に有する請求項１記載の、発電時に外部エネルギーが不要な真空磁気浮上発電機を構成する。
【００２９】
発電用平面型磁石回転子１８を安定した高速回転をさせるために、回転の中心線がブレず中点を維持するために、発電用平面型磁石回転子１８の上面中心に、発電用平面型磁石回転子本体中点磁石３９を取付け、それと引き合う異極磁石を発電コイル部真空保持コンポジット２７の中心部に本体上蓋中点磁石  ３８を取付け、発電用平面型磁石回転子１８の下面に発電用平面型磁石回転子付属回転中心維持吸着磁石１７を取付け、それと引き合う異極磁石を、真空槽本体２９に本体下部回転位置維持吸着磁石２０を取付けた。これらの発電用平面型磁石回転子１８の上下に取り付けられた異極磁石の引き合う力によって回転の中心を維持している。本発明ではこの回転の中心を維持する発電用平面型磁石回転子１８の上下に配置された磁石は三角錐の位置関係であるが、他の位置もありうる。
【００３０】
上記目的を達成するために、本発明の請求項５に記載の磁気浮上による電磁誘導発電、及び蓄電する装置では、機械的に非接触である発電用平面型磁石回転子１８であるため、発電する真空槽内構成部品には消耗品、劣化部品が無くメンテナンス不要である請求項１記載の、発電時に外部エネルギーが不要な真空磁気浮上発電機を構成する。
【００３１】
発電する真空槽内構成部品には消耗品、劣化部品が無くメンテナンス不要である。真空ポンプＵＮＩＴ５は消耗品交換など定期的に発生するが、真空槽本体２９と真空ポンプＵＮＩＴ５との間に仕切弁を設け、真空ポンプＵＮＩＴ５のメンテナンス、又は交換時も真空槽本体２９内の真空度は保たれるため、発電稼働を停止する必要が無く、発電に影響が出ない構成である。
【００３２】
上記目的を達成するために、本発明の請求項６に記載の磁気浮上による電磁誘導発電、及び蓄電する装置では、真空を保つために真空漕内に入る構成部品は、構成部品から発生するガス放出の発生防止のためガラス系、樹脂系などで、構成部品表面をコーティング、又は、浸漬、又は、塗り固められている請求項１記載の、発電時に外部エネルギーが不要な真空磁気浮上発電機を構成する。
【発明の効果】
【００３３】
以上の説明から明らかなように、本発明にあっては次に列挙する効果が得られる。
（１）本発明の請求項１に記載の磁気浮上による電磁誘導発電、及び蓄電する装置では、真空槽本体２９内を高真空にして空気抵抗が無く、永久磁石の反発力、引力を利用し、発電用平面型磁石回転子１８が磁気浮上できる状態で、モーター２２によって発電用平面型磁石回転子１８を高速回転させ、モーター２２から発電用平面型磁石回転子１８を切離すと、磁気浮上したまま発電用平面型磁石回転子１８が高速回転し、機械的に非接触のため機械的な摩擦抵抗が無く、また、真空中のため空気抵抗も無いために発電用平面型磁石回転子１８の回転が継続され、発電・回転維持用コイル１１により電磁誘導発電及びバッテリー３に蓄電する機構によって、発電時に外部エネルギーが不要な真空磁気浮上発電機が構成されている。
【００３４】
（２）前記（１）によって、電磁誘導により発電、蓄電できる。
【００３５】
（３）本発明の請求項２に記載の磁気浮上による電磁誘導発電、及び蓄電する装置では、機械的に非接触である発電用平面型磁石回転子１８の回転が任意の回転数以下に低下した場合、蓄電した電気を発電・回転維持用コイル１１に通電することによって発電用平面型磁石回転子１８の回転数を上限回転数まで上昇回復させ、任意の上限下限回転数の範囲内で自動的に回転を維持できる機構によって請求項１記載の、発電時に外部エネルギーが不要な真空磁気浮上発電機が構成されている。
【００３６】
（４）前記（３）によって、発電する回転数が維持できるため、昼夜、天候に関係なく安定した発電が継続できる。
【００３７】
（５）本発明の請求項３に記載の磁気浮上による電磁誘導発電、及び蓄電する装置では、初期段階の電力は真空槽本体２９を真空ポンプＵＮＩＴ５で真空引きする電力と、発電用平面型磁石回転子１８を任意の上限回転数までモーター２２で回転させるだけの蓄電された電力があれば、その後は蓄電された電力で自動的に発電用平面型磁石回転子１８の回転維持、真空維持の行われるため、外部からのエネルギー供給が無くても発電及び蓄電できる請求項１記載の、発電時に外部エネルギーが不要な真空磁気浮上発電機が構成されている。
【００３８】
（６）前記（５）によって、立上時の電力以外は不要で、発電時の外部エネルギーは不要で発電できる。
【００３９】
（７）本発明の  請求項４に記載の磁気浮上による電磁誘導発電、及び蓄電する装置では、真空槽内で磁気浮上させて非接触回転する発電用平面型磁石回転子１８がブレずに回転中心点を維持するために本体上蓋中点磁石３８、発電用平面型磁石回転子本体中点磁石３９の引き合う異極磁石と、回転中心維持磁石１７、２０の引き合う異極磁石が中心部に取り付けられ、発電用平面型磁石回転子１８の上下間での引力のバランスによって回転中心を維持する機構によって、請求項１記載の発、発電時に外部エネルギーが不要な真空磁気浮上発電機を構成している。
【００４０】
（８）前記（７）によって、発電用平面型磁石回転子１８の回転時間が長くなることと、多少の発電機の傾き、衝撃による影響を受けずに安定した回転維持、発電ができる。
【００４１】
（９）本発明の請求項５に記載の磁気浮上による電磁誘導発電、及び蓄電する装置では、機械的に非接触である発電用平面型磁石回転子１８であるため、発電する真空槽内構成部品には消耗品、劣化部品が無くメンテナンス不要である機構によって、請求項１記載の、発電時に外部エネルギーが不要な真空磁気浮上発電機を構成している。
【００４２】
（１０）前記（９）によって、メンテナンス費用もかからず、装置を停止させる必要も無く発電を継続できる。
【００４３】
（１１）本発明の請求項６に記載の磁気浮上による電磁誘導発電、及び蓄電する装置では、真空を保つために真空漕内に入る構成部品は、構成部品から発生するガス放出の発生防止のためガラス系、樹脂系などで構成部品表面をコーティング、又は、浸漬、又は、塗り固められている構造によって、請求項１記載の、発電時に外部エネルギーが不要な真空磁気浮上発電機を構成している。
【００４４】
（１２）前記（１１）によって、構成部品からのガス放出が抑えられ、真空度の維持力が高く、真空ポンプＵＮＩＴ５の真空引き回数を減らすことができる。
【図面の簡単な説明】
【００４５】
【図１】本発明に係る発電機の真空磁気浮上発電機を上から見た外観図
【図２】本発明に係る発電機の真空磁気浮上発電機を横から見た部分断面図
【図３】本発明に係る発電機の稼働前モーター接続状態の断面図
【図４】本発明に係る発電機のモーター切離し後の、回転稼働状態の断面図
【図５】本発明に係る発電機の発電用磁石回転子停止時の発電用磁石回転子受け断面            図
【図６】本発明に係る発電機の発電のフロー図
【図７】本発明に係る発電機の上蓋裏面に発電用コイルが設置されている外観図
【図８】本発明に係る発電機の発電用磁石回転子上面の発電用コイル側外観図
【図９】本発明に係る発電機の発電用磁石回転子上面のコイル側磁石細分化外観図
【図１０】本発明に係る発電機の発電用磁石回転子の下面磁石観図
【図１１】本発明に係る発電機の発電用磁石回転子の下面磁石細分化外観図
【図１２】本発明に係る発電機の本体側底面磁石外観図
【図１３】本発明に係る発電機の本体側底面磁石細分化外観図
【図１４】本発明に係る発電機の磁石の吸着、反発の磁力線図
【図１５】本発明に係る発電機の発電・蓄電と、逆にバッテリーからの送電による発              電用磁石回転子の回転補助を表す図
【発明を実施するための形態】
【００４６】
以下、本発明の実施の形態を図１〜図１５に基ずいて説明する。
【００４７】
図１は本発明、発電時に外部エネルギー不要な真空磁気浮上発電機を上面から見た外観図である。図２は横から見た半分断面図である。
【００４８】
本体上蓋 1と真空槽本体 ２９は、1×10-５Pa程度の高真空に耐えられる強度と、真空槽内へガスの放出が少ない非磁性体材料、板厚でできている。
【００４９】
真空槽内の真空を真空槽本体とポンプユニット間配管３０を経由してポンプＵＮＩＴ５によって真空引きし、真空度を計測し、任意の上限真空度の範囲になるようにポンプを自動稼働させる。
【００５０】
ポンプＵＮＩＴ５の真空度下限による自動稼働、発電用磁石回転子  １８の回転数下限時の自動稼働、バッテリー３への蓄電などの自動可動の全体制御は、稼働操作盤４で行う。
【００５１】
真空槽内で使われている磁石は全て永久磁石である。
【００５２】
発電用平面型磁石回転子１８は非磁性体材料である。
【００５３】
図３は、同発電機の稼働前モーター接続状態の断面図で、図４は、同発電機のモーター切離し後の、回転稼働状態の断面図である。
【００５４】
発電用平面型磁石回転子１８は磁石の反発力、引力と、回転するジャイロ効果によって磁気浮上する非特許文献３ＵＦＯゴマとして磁気浮上回転の実績がある。これに加えて、本特許では、特許請求項４で示すように、磁石の引き合う力を利用して発電用平面型磁石回転子１８の回転中心を安定化させた。
【００５５】
発電用平面型磁石回転子１８を磁気浮上させる中心となる磁気反発力として、発電用平面型磁石回転子付属磁気浮上用反発磁石１６と、本体下部磁気浮上用反発磁石１９を同極磁石とした。
【００５６】
次に磁気浮上させるために、発電用コイル側固定磁石２８と回転子付属発電用磁石１５は異極磁石で発電用平面型磁石回転子１８を引き上げる引力と同時に、発電・回転維持用コイル１１で発電を行う。非特許文献１、非特許文献２で示されるように、風力発電で使用されているコアレス発電機にて平面型回転子の電磁誘導発電の実績がある。
【００５７】
発電用コイル側固定磁石２８は、磁石でも磁性体材料でも可能である。
【００５８】
発電用平面型磁石回転子１８の上方向への制御用として、上蓋上方向反発磁石１２と発電用平面型磁石回転子付属上左右方向反発磁石１４を同極磁石として磁石の反発力によって 発電用平面型磁石回転子１８が上方向へブレる、又は、衝突することを制御している。
【００５９】
発電用平面型磁石回転子１８の左右方向への制御用として、本体左右方向反発磁石１３と発電用平面型磁石回転子付属上左右方向反発磁石１４を同極磁石として磁石の反発力によって 発電用平面型磁石回転子１８が上方向へブレる、又は、衝突することを制御している。
【００６０】
発電用平面型磁石回転子１８が回転中心線からブレないために、本体上蓋中点磁石３８と、発電用平面型磁石回転子本体中点磁石３９を異極磁石として中心点で引き合う引力によって、中心からのブレを無くす。
【００６１】
同様に、発電用平面型磁石回転子１８が回転中心線からブレないために、発電用平面型磁石回転子付属回転中心維持吸着磁石１７と、本体下部回転位置維持吸着磁石２０を異極磁石として中心線を中心に、引き合う引力によって、中心からのブレを無くす。
【００６２】
この、発電用平面型磁石回転子１８が回転中心線からブレないための引き合う異極磁石は、本発明では本体下部回転位置維持吸着磁石２０から本体上蓋中点磁石３８までを全体的に三角錐型を形成しているが、モーター軸を利用した中心線の直線型もある。
【００６３】
図４は、真空槽本体内が真空になった後、発電用平面型磁石回転子    １８が上限回転数まで回転し、モーター回転軸２１が発電用平面型磁石回転子１８から切り離された発電状態である。
【００６４】
図５は、一番最初の発電用平面型磁石回転子１８が停止した状態時に、中心位置を維持しながら、発電用平面型磁石回転子１８を乗せる部品を表している。
【００６５】
発電用平面型磁石回転子停止保持サイドステー３１と発電用平面型磁石回転子停止位置決めサイド部品３２で発電用平面型磁石回転子１８の中心を出しながら端面を保持する。
【００６６】
発電用平面型磁石回転子停止保持センターステー３３と発電用平面型磁石回転子停止位置決めセンター部品３４によって、発電用平面型磁石回転子１８の中心を出しながら、中心近くを保持する。
【００６７】
図６は、本発明の発電と畜電を維持するために、発電用平面型磁石回転子１８の回転数維持と真空度維持を装置内で自動制御するフローである。
【００６８】
図７は、本体上蓋１の下側外観図で、発電・回転維持用コイル１１で電磁誘導して発電する。
【００６９】
また、発電機とモーターは可逆であるため、発電・回転維持用コイル１１に逆に通電して、発電用平面型磁石回転子１８の回転数を上限まで回復させる。
【００７０】
発電・回転維持用コイル１１での発電と、発電・回転維持用コイル１１への給電は、発電・送電線２６、蓄電・送電用端子７を経由してバッテリー３と電力を授受する。
【００７１】
コイル部分、装置内構成部品すべての、ガス放出を防止するために、発電コイル部真空保持コンポジット２７でガラス系、樹脂系にて構成部品表面をコーティング、又は、浸漬、又は、塗り固められている。
【００７２】
非接触回転計９によって、発電用平面型磁石回転子１８の回転数を計測して、発電・回転維持用コイル１１に通電し、発電用平面型磁石回転子１８の回転を回復させて上限回転数、下限回転数を維持する。
【００７３】
真空槽内の真空を保つために、真空パッキン３７を上蓋と本体の間に入れて、本体上蓋取付穴６に固定するネジを入れて、真空槽本体２９に本体上蓋１を固定する。
【００７４】
図８は発電用平面型磁石回転子１８の上面側（コイル発電側）の概略図で、真ん中に、中心からブレないための発電用平面型磁石回転子本体中点磁石３９が取付けられている。
【００７５】
発電用平面型磁石回転子１８の端面には、上下左右方向を制御する  発電用平面型磁石回転子付属上左右方向反発磁石１４が取付けられている。
【００７６】
発電用平面型磁石回転子１８に取付けられている回転子付属発電用磁石１５から発電用コイル側固定磁石２８に磁力線が飛ぶことによって、その間にある発電・回転維持コイル１１で発電される。
【００７７】
図９は、回転子付属発電用磁石１５を細分化した外観図である。回転子付属発電用磁石１５の形状は他にも考えられる。
【００７８】
図１０は、発電用平面型磁石回転子１８の下面側の概略図で、真ん中に、モーター回転軸受け２３が取付けられ、中心からブレないための発電用平面型磁石回転子付属回転中心維持吸着磁石１７が、その外側に取付けられている。
【００７９】
発電用平面型磁石回転子付属磁気浮上用反発磁石１６は、真空槽本体に取付けられている、本体下部磁気浮上用反発磁石１９と同極磁石反発によって発電用平面型磁石回転子１８を浮上させる主となる反発力を発生させる。
【００８０】
図１１は、発電用平面型磁石回転子付属磁気浮上用反発磁石１６と、発電用平面型磁石回転子付属回転中心維持吸着磁石１７を細分化した外観図で、他の形状も考えられる。
【００８１】
図１２は、真空槽本体２９を上から見た外観図である。
【００８２】
中心に、モーター２２、モーター回転軸２１があり、その周りに、発電用平面型磁石回転子１８を中心線からブレさせないための本体下部回転位置維持吸着磁石２０が取付けられている。
【００８３】
真空槽本体２９の側壁には、発電用平面型磁石回転子１８が左右方向にブレないための、本体左右方向反発磁石１３が取付けられている。
【００８４】
本体下部磁気浮上用反発磁石１９と発電用平面型磁石回転子付属磁気浮上用反発磁石１６が同極磁石によって、発電用平面型磁石回転子１８を浮上させる主となる反発力を発生させる。
【００８５】
図１３は、本体下部磁気浮上用反発磁石１９と本体下部回転位置維持吸着磁石２０を細分化した外観図で、他の形状も考えられる。
【００８６】
図１４は、磁石の同極による反発と異極による引力を表した図である。
【００８７】
発電用平面型磁石回転子１８の中心線がブレずに、反発力と引力のバランスをとり、発電用平面型磁石回転子１８が回転することによるジャイロ効果によって磁気浮上し、回転が継続する。非特許文献３のＵＦＯゴマで磁気浮上回転の実績がある。         
【００８８】
図１５は、蓄電・送電するための整流器２を経由してバッテリー３と発電・回転維持用コイル１１間の電流の流れの概略図である。
【００８９】
発電コイルとバッテリー間の発電・送電の流れ２５は、蓄電時のバッテリー３までの電流の流れと発電用平面型磁石回転子１８の回転を上限まで回復する場合の発電・回転維持用コイル１１への電流供給の２種類の電流の流れを表している。
【００９０】
バッテリー３に蓄電された電力は直流、又は、交流に変換して外部負荷３６によって消費される。
【産業上の利用可能性】
【００９１】
本発明は、一般家庭用発電機として利用される。
【００９２】
本発明は、地域用発電機として利用される。
【００９３】
本発明は、工場、ビル、学校、ホテル、公共施設、などの大型施設の発電機とし        て利用される。
【００９４】
本発明は、乗り物のエネルギー源としての発電機として利用される。
【００９５】
本発明は、ロケット、人工衛星、宇宙基地、など宇宙空間でのエネルギー源とし        ての発電機として利用される。         
【００９６】
本発明は、家電品のエネルギー源としての発電機として利用される。
【００９７】
本発明は、砂漠、極点、山頂、被災地、など孤立化した地域で使用する発電機と        して利用される。
【符号の説明】
【００９８】
１    本体上蓋
２    蓄電・送電するための整流器
３    バッテリー
４    稼働操作盤
５    真空ポンプＵＮＩＴ
６    本体上蓋取付穴
７    蓄電・送電用端子
８    蓄電・送電線
９    非接触回転計
１０  非接触回転計信号線
１１  発電・回転維持用コイル
１２  上蓋上方向反発磁石
１３  本体左右方向反発磁石
１４  発電用平面型磁石回転子付属上左右方向反発磁石
１５  回転子付属発電用磁石
１６  発電用平面型磁石回転子付属磁気浮上用反発磁石
１７  発電用平面型磁石回転子付属回転中心維持吸着磁石
１８  発電用平面型磁石回転子
１９  本体下部磁気浮上用反発磁石
２０  本体下部回転位置維持吸着磁石
２１  モーター回転軸
２２  モーター
２３  モーター回転軸受け
２４  防振・耐震スタンド
２５  発電コイルとバッテリー間の発電・送電の流れ
２６  発電・送電線
２７  発電コイル部真空保持コンポジット
２８  発電用コイル側固定磁石  
２９  真空槽本体
３０  真空槽本体とポンプユニット間配管
３１  発電用平面型磁石回転子停止保持サイドステー
３２  発電用平面型磁石回転子停止位置決めサイド部品
３３  発電用平面型磁石回転子停止保持センターステー
３４  発電用平面型磁石回転子停止位置決めセンター部品
３５  磁力線
３６  外部負荷
３７  真空パッキン
３８  本体上蓋中点磁石
３９  発電用平面型磁石回転子本体中点磁石
【図１】
2017073881.tif 000003
【図２】
2017073881.tif 000004
【図３】
2017073881.tif 000005
【図４】
2017073881.tif 000006
【図５】
2017073881.tif 000007
【図８】
2017073881.tif 000008
【図９】
2017073881.tif 000009
【図１０】
2017073881.tif 000010
【図１１】
2017073881.tif 000011
【図１２】
2017073881.tif 000012
【図１３】
2017073881.tif 000013
【図１４】
2017073881.tif 000014
【図１５】
2017073881.tif 000015
【図６】
2017073881.tif 000016
【図７】
2017073881.tif 000017